(57)【要約】      （修正有）【課題】デザイン性の向上を図ることができる装身具を提供する。【解決手段】装身具１０は、一対の留め具２０、３０と、一対の留め具に両端がそれぞれ接続された複数の線条体と、複数の線条体のそれぞれが挿通された複数の装飾体５０と、複数の線条体が挿通されて複数の線条体を集束する集束体６０と、留め具と装飾体との間に配置されて、複数の線条体が互いに離れるように装飾体を集束体側へ付勢する弾性体７０と、を備える。【選択図】図１
0003220324.tif 000002
【実用新案登録請求の範囲】
【請求項１】
一対の留め具と、
一対の前記留め具に両端がそれぞれ接続された複数の線条体と、
複数の前記線条体のそれぞれに挿通された複数の装飾体と、
複数の前記線条体に挿通されて複数の前記線条体を集束する集束体と、
前記留め具と前記装飾体との間に配置されて、複数の前記線条体が互いに離れるように前記装飾体を前記集束体側へ付勢する弾性体と、を備えている、装身具。
【請求項２】
前記線条体は、直線状となる復元力を有する形状記憶材から形成されている、請求項１に記載の装身具。
【考案の詳細な説明】
【技術分野】
【０００１】
本考案は、装身具に関する。
【背景技術】
【０００２】
従来の装身具として、特許文献１に示す装身具が知られている。この装身具では、２本のネックレスを係止具に通して集束している。
【先行技術文献】
【特許文献】
【０００３】
【特許文献１】特開２００１−２３１６１４号公報
【考案の概要】
【考案が解決しようとする課題】
【０００４】
例えば、特許文献１の装身具のように、２本のネックレスを係止具で集束して２連にしても、ネックレスどうしが重なってしまうと、２連にしたことによるデザイン性向上に劣ってしまう。
【０００５】
本考案はこのような課題を解決するためになされたものであり、デザイン性の向上を図ることができる装身具を提供することを目的としている。
【課題を解決するための手段】
【０００６】
本考案のある態様に係る装身具は、一対の留め具と、一対の前記留め具に両端がそれぞれ接続された複数の線条体と、複数の前記線条体のそれぞれに挿通された複数の装飾体と、複数の前記線条体に挿通されて複数の前記線条体を集束する集束体と、前記留め具と前記装飾体との間に配置されて、複数の前記線条体が互いに離れるように前記装飾体を前記集束体側へ付勢する弾性体と、を備えている。
【０００７】
この構成によれば、複数の線条体は留め具及び集束体により束ねられ、これらの間において複数の装飾体を挿通している。この留め具と装飾体との間において弾性体が装飾体を付勢することにより、複数の線条体が互いに離れるように拡がる。このため、装飾体を挿通した線条体が重ならず、装身具が立体的になり、デザイン性を向上することができる。
【０００８】
装身具は、前記線条体は、直線状となる復元力を有する形状記憶材から形成されていてもよい。本考案によれば、線条体の復元力により線条体どうしが互いに離れるように維持され、デザイン性の向上が維持される。
【考案の効果】
【０００９】
本考案は、以上に説明した構成を有し、デザイン性の向上を図ることができる装身具を提供することができるという効果を奏する。
【００１０】
本考案の上記目的、他の目的、特徴、及び利点は、添付図面参照の下、以下の好適な実施態様の詳細な説明から明らかにされる。
【図面の簡単な説明】
【００１１】
【図１】本考案の実施の形態に係る装身具を示す図である。
【図２】図１の装身具における弾性体周辺の部分拡大図である。
【図３】図１の装身具における集束体周辺の部分拡大図である。
【考案を実施するための形態】
【００１２】
以下、本考案の実施の形態を、図面を参照しながら具体的に説明する。
【００１３】
（実施の形態）
実施の形態に係る装身具１０は、図１に示すように、ネックレス、ブレスレット及びアンクレット等、長尺物に適用される。例えば、装身具１０は、一対の留め具２０、３０、複数（例えば、３本）の連珠部１１、集束体６０、及び、弾性体７０を備えている。図１〜図３に示すように、複数の連珠部１１は、留め具２０、３０から延び、集束体６０により束ねられている。各連珠部１１は、線条体４０及び複数の装飾体５０を備えている。
【００１４】
一対の留め具２０、３０は、互いに着脱可能なクラスプであって、その形式は、スライド式、ワンタッチ式及びブッシュ式等を採用し得る。一対の留め具２０、３０は係止部２１及び被係止部３１を有しており、係止部２１及び被係止部３１のそれぞれの基端には複数の連珠部１１の線条体４０が取り付けられている。
【００１５】
例えば、係止部２１には凹部２２が設けられており、凹部２２は係止部２１の先端に開口し、凹部２２内にはバネ（図示せず）及びピン（図示せず）が配置されている。また、被係止部３１は円柱形状であって、外周面に周方向に延びる環状溝３２が設けられている。
【００１６】
係止部２１の凹部２２に被係止部３１の先端を挿入すると、バネによりピンが押し下げられて被係止部３１の環状溝３２に嵌る。これにより、被係止部３１は係止部２１により係止されて、装身具１０は長尺状から環状に形を変える。
【００１７】
線条体４０は、細長く、例えば、金属製又は樹脂製のワイヤである。線条体４０は、一端が係止部２１の基端に接続され、他端が被係止部３１の基端に接続されている。図２に示すように、複数（例えば、３本）の線条体４０の端が結ばれて留め具２０、３０に取り付けられており、複数の線条体４０は留め具２０、３０から延びて、一対の留め具２０、３０の間において並列する。
【００１８】
装飾体５０は、例えば、真珠及び鉱物等の宝石、金属又は樹脂等から形成された珠玉である。装飾体５０は、球形、多角形及び筒形等の形状であって、湾曲及び屈曲等の曲面の表面を有しており、第１貫通孔５１が設けられている。例えば、第１貫通孔５１は、装飾体５０の中心を通るように装飾体５０を直線状に貫通している。複数の装飾体５０のそれぞれの第１貫通孔５１には、１本の線条体４０が挿通されることにより、留め具２０、３０から延びる線条体４０が複数の装飾体５０を挿通して、連珠部１１が形成される。
【００１９】
集束体６０は、図１及び図３に示すように、例えば、宝石、金属又は樹脂等から形成された珠玉である。集束体６０は、球形、多角形及び筒形等の形状であって、湾曲及び屈曲等の曲面の表面を有しており、第２貫通孔６１が設けられている。例えば、第２貫通孔６１は、集束体６０の中心を通るように集束体６０を直線状に貫通している。
【００２０】
１つ集束体６０の第２貫通孔６１には、例えば、複数の線条体４０が挿通されることにより、留め具２０、３０から延びる全ての線条体４０は集束体６０において集束される。このため、第２貫通孔６１が延びる方向において、集束体６０の一方側から複数の連珠部１１が延び、集束体６０の他方側から複数の連珠部１１が延びている。この一方側及び他方側のそれぞれにおいて集束体６０は複数の連珠部１１の装飾体５０に隣接している。
【００２１】
集束体６０の外径は、隣接する装飾体５０の外径よりも大きい。また、集束体６０の内径（第２貫通孔６１の直径）は、隣接する装飾体５０の内径（第１貫通孔５１の直径）よりも大きく、その装飾体５０の外径よりも小さい。例えば、装飾体５０は、その外径が２．５ｍｍであり、内径が０．４ｍｍ以上０．５ｍｍ以内である。集束体６０は、その外径が３．５ｍｍであり、内径が１ｍｍ以上１．２ｍｍ以内である。また、線条体４０の直径は、０．３ｍｍ以上０．４ｍｍ以下である。
【００２２】
弾性体７０は、図２に示すように、例えば、ゴム及び樹脂等により形成されており、環状であって、第３貫通孔７１を有している。第３貫通孔７１は、弾性体７０の中心軸に沿って直線状に弾性体７０を貫通している。弾性体７０は、装飾体５０と台座部８０との間において、１つ又は複数（例えば、５つ）配置されている。第３貫通孔７１には複数の線条体４０が挿通されていることにより、弾性体７０において複数の連珠部１１が集束されている。複数の弾性体７０は、第３貫通孔７１が直線状に並ぶように配列されており、隣接する弾性体７０どうしは互いに接している。
【００２３】
弾性体７０の外径は、隣接する装飾体５０の外径よりも大きい。弾性体７０の内径（第３貫通孔７１の直径）は、隣接する装飾体５０の内径（第１貫通孔５１の直径）よりも大きく、その装飾体５０の外径よりも小さい。
【００２４】
台座部８０は、留め具２０、３０と弾性体７０との間に配置されており、例えば、金属及び樹脂等により形成されており、環状であって、第４貫通孔８１を有している。第４貫通孔８１は、台座部８０の中心軸に沿って直線状に台座部８０を貫通している。台座部８０の外径は弾性体７０の外径よりも大きく設定されている。台座部８０に一方面は、弾性体７０と隣接し、平らに形成されている。台座部８０の他方面側において、第４貫通孔８１に挿通された複数の線条体４０は結ばれており、留め具２０、３０に取り付けられている。
【００２５】
このような装身具１０の製造では、例えば、図２に示すように、複数の線条体４０の一端どうしを結んで、複数の線条体４０を台座部８０の第４貫通孔８１及び弾性体７０の第３貫通孔７１にこの順で通す。続いて、各線条体４０を複数の装飾体５０の第１貫通孔５１にそれぞれ通し、複数の連珠部１１を形成する。そして、全ての線条体４０を束ねて集束体６０の第２貫通孔６１に通して、複数の連珠部１１を集束する。それから、各線条体４０を第１貫通孔５１及び第２貫通孔６１に通す作業を適宜、繰り返す。そして、複数の線条体４０を第３貫通孔７１及び第４貫通孔８１に通す。
【００２６】
これにより、線条体４０の結び目、台座部８０、弾性体７０、複数の装飾体５０、集束体６０、複数の装飾体５０、弾性体７０、台座部８０の順で並ぶ。最後に、線条体４０を引っ張ると、隣接する装飾体５０どうし、集束体６０とこれに隣接する装飾体５０とは、互いに密着して、弾性体７０は装飾体５０を集束体６０側に付勢する。このため、弾性体７０及び集束体６０の径方向において各貫通孔７１、６１から離れる方向であって、弾性体７０及び集束体６０に隣接する装飾体５０どうしが互いに離れる方向に、装飾体５０又は集束体６０の曲面の表面に沿って装飾体５０が移動する。最後に、複数の線条体４０の他端どうしを結んで、線条体４０の両端を一対の留め具２０、３０にそれぞれ接続する。これにより、装身具１０が形成される。
【００２７】
このように、弾性体７０は複数の装飾体５０を集束体６０側へ付勢する。これにより、線条体４０はその長手方向に引っ張られる方向にテンションがかかる。また、隣接する装飾体５０どうし、及び、隣接する装飾体５０と集束体６０とは、互いの間隔を縮めるように配置され、互いに圧力を及ぼしながら密着する。さらに、集束体６０に隣接する複数の装飾体５０は、その曲面の表面が集束体６０の曲面の表面に沿って互いに離れるように配置される。このため、装飾体５０が集束体６０に対して小さくても、並列する複数の連珠部１１は円弧形状に湾曲して互いに間隔が拡がり、装身具１０はデザイン性が向上する。
【００２８】
また、弾性体７０が台座部８０と装飾体５０との間に配置される。このため、弾性体７０から装飾体５０に向かって複数の線条体４０が拡がっていても、弾性体７０が変形することによって、線条体４０に局所的な力が作用することを抑制し、線条体４０の切断を防止することができる。
【００２９】
さらに、３本以上の線条体４０が集束体６０に集束されると、集束体６０から延びる線条体４０は互いに拡がり、装身具１０は立体的な形状を有する。このため、装身具１０のデザイン性の向上がさらに図られる。
【００３０】
また、留め具２０、３０と集束体６０との間の複数の連珠部１１のそれぞれにおける装飾体５０の数は、互いに等しくてもよい。また、隣接する集束体６０どうしの間の複数の連珠部１１のそれぞれにおける装飾体５０の数は、互いに等しくてもよい。これにより、並列に配置された複数の連珠部１１は、線対称に拡がるため、装身具１０のデザイン性の向上がさらに図られる。
【００３１】
なお、線条体４０は、直線状となる復元力を有する形状記憶合金等の形状記憶材から形成されていてもよい。線条体４０は、直線状に予め記憶されており、この形状から変形されると、直線状に形状を回復する復元力が発生する。このため、集束体６０から拡がる連珠部１１が互いに近づく方向に変形しようとしても、線条体４０の復元力により、連珠部１１は互いに拡がる形状が維持される。
【００３２】
また、装身具１０において、台座部８０が設けられず、留め具２０、３０が弾性体７０と隣接するようにして、留め具２０、３０に複数の線条体４０が取り付けられていてもよい。
【００３３】
装身具１０は、ネックレス等の長尺物の一部であってもよい。この場合、一対の留め具２０、３０は互いに接続されず、留め具２０、３０は、長尺物における他の部分と連結可能な構成を有する。
【００３４】
連珠部１１における複数の装飾体５０の外径、内径及び形状はそれぞれ等しくてもよく、互いに異なっていてもよい。
【産業上の利用可能性】
【００３５】
本考案の装身具は、デザイン性の向上を図ることができる装身具等として有用である。
【符号の説明】
【００３６】
１０  ：装身具
２０  ：留め具
３０  ：留め具
４０  ：線条体
５０  ：装飾体
６０  ：集束体
７０  ：弾性体
【図１】
0003220324.tif 000003
【図２】
0003220324.tif 000004
【図３】
0003220324.tif 000005